(57)【要約】  超音波診断装置は、超音波プローブと、超音波プローブから被検体に向けて超音波ビームの送受信を行い且つ超音波プローブから出力される受信信号を画像化して被検体の超音波画像を生成する画像化部と、被検体の複数の検査部位にそれぞれ対応する複数の照合パターンが予め保存された照合パターンメモリと、複数の検査部位を連続して検査する検査内容を表す検査種別情報をユーザが入力するための情報入力部と、情報入力部に入力された検査種別情報に基づいて連続して検査を行う複数の検査部位の判別順序を決定する判別順序決定部と、判別順序決定部で決定された判別順序に従って、照合パターンメモリから連続して検査を行う検査部位に対応する照合パターンを読み出し且つ読み出した照合パターンを用いて画像化部で生成された超音波画像を判別順序で順次照合することで被検体の撮像部位を判別する部位判別部とを備える。
2017145540.tif 000002
【特許請求の範囲】
【請求項１】
超音波プローブと、
前記超音波プローブから被検体に向けて超音波ビームの送受信を行い且つ前記超音波プローブから出力される受信信号を画像化して前記被検体の超音波画像を生成する画像化部と、
前記被検体の複数の検査部位にそれぞれ対応する複数の照合パターンが予め保存された照合パターンメモリと、
複数の検査部位を連続して検査する検査内容を表す検査種別情報をユーザが入力するための情報入力部と、
前記情報入力部に入力された前記検査種別情報に基づいて連続して検査を行う複数の検査部位の判別順序を決定する判別順序決定部と、
前記判別順序決定部で決定された判別順序に従って、前記照合パターンメモリから連続して検査を行う検査部位に対応する照合パターンを読み出し且つ読み出した照合パターンを用いて前記画像化部で生成された前記超音波画像を前記判別順序で順次照合することで前記被検体の撮像部位を判別する部位判別部と、
を備えた超音波診断装置。
【請求項２】
前記部位判別部は、前記判別順序に従って前記照合パターンメモリから読み出した前記照合パターン以外に、前記読み出した照合パターンの検査部位の近傍に位置する検査部位に対応する照合パターンも前記照合パターンメモリから読み出して撮像部位の判別を行う請求項１に記載の超音波診断装置。
【請求項３】
前記判別順序決定部は、それぞれ複数の検査部位を連続して検査する複数の連続検査の検査内容を予め記憶し、前記複数の連続検査の中から選択された連続検査が前記検査種別情報として前記ユーザにより前記情報入力部に入力されると、入力された連続検査に対応する複数の検査部位の判別順序を決定する請求項１または２に記載の超音波診断装置。
【請求項４】
前記検査種別情報は、連続して検査する複数の検査部位がリストとして前記ユーザにより前記情報入力部に入力されたものからなり、
前記判別順序決定部は、前記情報入力部から入力された前記リストに基づいて複数の検査部位の判別順序を決定する請求項１または２に記載の超音波診断装置。
【請求項５】
前記部位判別部により判別された撮像部位に対応する画像化条件を設定する画像化条件設定部をさらに備え、
前記画像化部は、前記画像化条件設定部で設定された画像化条件に従って前記超音波画像を生成する請求項１〜４のいずれか一項に記載の超音波診断装置。
【請求項６】
超音波プローブから被検体に向けて超音波ビームの送受信を行い且つ前記超音波プローブから出力される受信信号を画像化して前記被検体の超音波画像を生成する工程と、
複数の検査部位を連続して検査する検査内容を表す検査種別情報をユーザにより入力する工程と、
入力された前記検査種別情報に基づいて連続して検査を行う複数の検査部位の判別順序を決定する工程と、
決定された判別順序に従って、複数の検査部位にそれぞれ対応し且つ予め記憶されている複数の照合パターンから連続して検査を行う検査部位に対応する照合パターンを読み出し且つ読み出した照合パターンを用いて前記超音波画像を前記判別順序で順次照合することで前記被検体の撮像部位を判別する工程と、
を含む超音波診断装置の制御方法。
【発明の詳細な説明】
【技術分野】
【０００１】
この発明は、超音波診断装置および超音波診断装置の制御方法に係り、特に、超音波画像に基づいて被検体の撮像部位を判別する超音波診断装置に関する。
【背景技術】
【０００２】
従来から、医療分野において、超音波画像を利用した超音波診断装置が実用化されている。一般に、この種の超音波診断装置では、アレイトランスデューサを内蔵する超音波プローブから被検体内に向けて超音波ビームが走査し、被検体からの超音波エコーを超音波プローブで受信し、受信信号を電気的に処理することにより超音波画像が生成される。【０００３】
このような超音波診断装置を用いて被検体を診断する際には、それぞれの検査部位に対して診断に適した超音波画像を得るために、ユーザが撮像部位に応じて画像化条件を設定している。ところが、被検体の複数の検査部位を連続で検査する場合、検査部位が変わるたびにユーザが検査部位に応じて画像化条件を設定し直す必要があるため、診断に要する時間が長くなるおそれがある。そこで、特許文献１には、予め記憶されたそれぞれの検査部位に対応する照合パターンを用いて、生成された超音波画像の撮像部位を判別し、判別された結果に基づいて撮像部位に適した走査パラメータを設定する超音波診断装置が開示されている。
【先行技術文献】
【特許文献】
【０００４】
【特許文献１】特開平４−２２４７３８号公報
【発明の概要】
【発明が解決しようとする課題】
【０００５】
しかしながら、例えば、複数の検査部位を連続で検査するｅＦＡＳＴ（extended Focused Assessment with Sonography for Trauma）検査を実施すると、検査部位候補が増えることとなる。このように検査部位候補が増えると、これらの検査部位候補に対応するため、特許文献１に示される超音波診断装置が撮像部位の判別に用いる照合パターンの数が多くなり、撮像部位の判別が完了するまでに長い時間がかかるおそれがある。また、予め記憶された照合パターンに対応する検査部位以外の検査部位の超音波画像が得られた場合、撮像部位を判別できずにこれら照合パターンが全て用いられるまで部位判別処理が続くため、部位判別処理の次の動作に移行するまでに長い時間がかかるおそれがある。このため、撮像部位に適した走査パラメータが設定されることが遅れ、診断の妨げとなるおそれがある。【０００６】
この発明は、このような従来の問題点を解消するためになされたもので、検査部位候補が増えても超音波画像の撮像部位の判別に要する時間が長くなることを抑制することができる超音波診断装置および超音波診断装置の制御方法を提供することを目的とする。
【課題を解決するための手段】
【０００７】
この発明に係る超音波診断装置は、超音波プローブと、超音波プローブから被検体に向けて超音波ビームの送受信を行い且つ超音波プローブから出力される受信信号を画像化して被検体の超音波画像を生成する画像化部と、被検体の複数の検査部位にそれぞれ対応する複数の照合パターンが予め保存された照合パターンメモリと、複数の検査部位を連続して検査する検査内容を表す検査種別情報をユーザが入力するための情報入力部と、情報入力部に入力された検査種別情報に基づいて連続して検査を行う複数の検査部位の判別順序を決定する判別順序決定部と、判別順序決定部で決定された判別順序に従って、照合パターンメモリから連続して検査を行う検査部位に対応する照合パターンを読み出し且つ読み出した照合パターンを用いて画像化部で生成された超音波画像を判別順序で順次照合することで被検体の撮像部位を判別する部位判別部と、を備えたものである。【０００８】
部位判別部は、判別順序に従って照合パターンメモリから読み出した照合パターン以外に、読み出した照合パターンの検査部位の近傍に位置する検査部位に対応する照合パターンも照合パターンメモリから読み出して撮像部位の判別を行うこともできる。
判別順序決定部は、それぞれ複数の検査部位を連続して検査する複数の連続検査の検査内容を予め記憶し、複数の連続検査の中から選択された連続検査が検査種別情報としてユーザにより情報入力部に入力されると、入力された連続検査に対応する複数の検査部位の判別順序を決定しても良い。
また、検査種別情報は、連続して検査する複数の検査部位がリストとしてユーザにより情報入力部に入力されたものからなり、判別順序決定部は、情報入力部から入力されたリストに基づいて複数の検査部位の判別順序を決定する構成としても良い。【０００９】
部位判別部により判別された撮像部位に対応する画像化条件を設定する画像化条件設定部をさらに備え、画像化部は、画像化条件設定部で設定された画像化条件に従って超音波画像を生成する構成とすることができる。【００１０】
この発明に係る超音波診断装置の制御方法は、超音波プローブから被検体に向けて超音波ビームの送受信を行い且つ超音波プローブから出力される受信信号を画像化して被検体の超音波画像を生成する工程と、複数の検査部位を連続して検査する検査内容を表す検査種別情報をユーザにより入力する工程と、入力された検査種別情報に基づいて連続して検査を行う複数の検査部位の判別順序を決定する工程と、決定された判別順序に従って、複数の検査部位にそれぞれ対応し且つ予め記憶されている複数の照合パターンから連続して検査を行う検査部位に対応する照合パターンを読み出し且つ読み出した照合パターンを用いて超音波画像を判別順序で順次照合することで被検体の撮像部位を判別する工程と、を含むものである。
【発明の効果】
【００１１】
この発明によれば、超音波プローブから被検体に向けて超音波ビームの送受信を行い且つ超音波プローブから出力される受信信号を画像化して被検体の超音波画像を生成し、複数の検査部位を連続して検査する検査内容を表す検査種別情報をユーザにより入力し、入力された検査種別情報に基づいて連続して検査を行う複数の検査部位の判別順序を決定し、決定された判別順序に従って、複数の検査部位にそれぞれ対応し且つ予め記憶されている複数の照合パターンから連続して検査を行う検査部位に対応する照合パターンを読み出し且つ読み出した照合パターンを用いて超音波画像を判別順序で順次照合することで被検体の撮像部位を判別するので、検査部位候補が増えても超音波画像の撮像部位の判別に要する時間が長くなることを抑制することができる。
【図面の簡単な説明】
【００１２】
【図１】この発明の実施の形態１に係る超音波診断装置の構成を示すブロック図である。
【図２】受信部の内部構成を示すブロック図である。
【図３】Ｂモード処理部の内部構成を示すブロック図である。
【図４】実施の形態１の動作を示すフローチャートである。
【図５】実施の形態１の部位判別処理を示すフローチャートである。
【図６】実施の形態２の部位判別処理を示すフローチャートである。
【発明を実施するための形態】
【００１３】
以下、この発明の実施の形態を添付図面に基づいて説明する。
実施の形態１
図１に、この発明の実施の形態１に係る超音波診断装置の構成を示す。この超音波診断装置は、アレイトランスデューサ１Ａを内蔵する超音波プローブ１を備え、超音波プローブ１に送受信部２を介して画像生成部３が接続され、さらに、画像生成部３に表示制御部４を介して表示部５が接続されている。
【００１４】
送受信部２は、超音波プローブ１のアレイトランスデューサ１Ａに接続された送信部６および受信部７と、これら送信部６および受信部７にそれぞれ接続された送受信制御部８を有している。画像生成部３は、送受信部２の受信部７に接続されたＢモード（Brightness mode）処理部９と、Ｂモード処理部９に接続されたＤＳＣ（Digital Scan Converter）１０を有しおり、表示制御部４は、ＤＳＣ１０に接続されている。送受信部２の送受信制御部８、画像生成部３のＢモード処理部９およびＤＳＣ１０に、画像化条件設定部１１に接続されている。
また、ＤＳＣ１０には部位判別部１２が接続され、さらに部位判別部１２に判別順序決定部１３が接続されている。
画像化条件設定部１１、部位判別部１２、判別順序決定部１３および表示制御部４に、装置制御部１４が接続されている。さらに、装置制御部１４に、照合パターンメモリ１５、情報入力部１６と格納部１７がそれぞれ接続されている。
【００１５】
超音波プローブ１のアレイトランスデューサ１Ａは、１次元又は２次元に配列された複数の超音波トランスデューサを有している。これらの超音波トランスデューサは、それぞれ送信部６から供給される駆動信号に従って超音波を送信すると共に被検体からの超音波エコーを受信して受信信号を出力する。各超音波トランスデューサは、例えば、ＰＺＴ（チタン酸ジルコン酸鉛）に代表される圧電セラミック、ＰＶＤＦ（ポリフッ化ビニリデン）に代表される高分子圧電素子、ＰＭＮ−ＰＴ（マグネシウムニオブ酸・チタン酸鉛固溶体）に代表される圧電結晶等からなる圧電体の両端に電極を形成した振動子によって構成される。
【００１６】
そのような振動子の電極に、パルス状又は連続波の電圧を印加すると、圧電体が伸縮し、それぞれの振動子からパルス状又は連続波の超音波が発生して、それらの超音波の合成により超音波ビームが形成される。また、それぞれの振動子は、伝搬する超音波を受信することにより伸縮して電気信号を発生し、それらの電気信号は、超音波の受信信号として出力される。
【００１７】
送受信部２は、設定された超音波ビーム走査条件に従って超音波ビームの送受信を行い、画像生成部３は、設定された超音波画像生成条件に従ってＢモード画像信号を生成するもので、これら送受信部２および画像生成部３により画像化部が構成されている。また、送受信部２に対する超音波ビーム走査条件と画像生成部３に対する超音波画像生成条件により画像化部に対する画像化条件が構成されている。
【００１８】
送受信部２の送信部６は、例えば、複数のパルス発生器を含んでおり、送受信制御部８からの制御信号に応じて選択された送信遅延パターンに基づいて、アレイトランスデューサ１Ａの複数の超音波トランスデューサから送信される超音波が超音波ビームを形成するようにそれぞれの駆動信号の遅延量を調節して複数の超音波トランスデューサに供給する。
【００１９】
受信部７は、図２に示されるように、増幅部１８とＡ／Ｄ（Analogue / Digital）変換部１９が順次直列に接続された構成を有している。受信部７は、アレイトランスデューサ１Ａの各超音波トランスデューサから送信される受信信号を増幅部１８で増幅し、Ａ／Ｄ変換部１９でＡ／Ｄ変換してデジタルの受信データを生成する。
送受信制御部８は、装置制御部１４から伝送させる各種の制御信号に基づき、繰り返し周波数（ＰＲＦ：Pulse Repetition Frequency）間隔で被検体への超音波パルスの送信と被検体からの超音波エコーの受信が繰り返し行われるように、送信部６および受信部７を制御する。
【００２０】
画像生成部３のＢモード処理部９は、図３に示されるように、ビームフォーマ２０と信号処理部２１とが順次直列に接続された構成を有している。ビームフォーマ２０は、画像化条件設定部１１からの制御信号に応じて選択された受信遅延パターンに基づいて設定される音速または音速の分布に従い、送受信部２の受信部７から出力された受信データにそれぞれの遅延を与えて加算することにより、受信フォーカス処理を行う。この受信フォーカス処理により、整相加算され超音波エコーの焦点が絞り込まれた音線信号が生成される。
信号処理部２１は、ビームフォーマ２０で生成された音線信号に対し、超音波の反射位置の深度に応じて距離による減衰の補正を施した後、包絡線検波処理を施し、さらに、階調処理等の各種の必要な画像処理を施すことにより、被検体内の組織に関する断層画像情報であるＢモード画像信号を生成する。
画像生成部３のＤＳＣ１０は、信号処理部２１で生成されたＢモード画像信号を通常のテレビジョン信号の走査方式に従う画像信号に変換（ラスター変換）する。
【００２１】
表示制御部４は、画像生成部３により生成されたＢモード画像信号に基づいて、表示部５にＢモード画像を表示させる。
表示部５は、例えば、ＬＣＤ（liquid crystal display）等のディスプレイ装置を含んでおり、表示制御部４の制御の下で、Ｂモード画像を表示する。
【００２２】
照合パターンメモリ１５は、被検体の複数の検査部位にそれぞれ対応する複数の照合パターンを予め記憶している。
情報入力部１６は、ユーザが入力操作を行うためのもので、キーボード、マウス、トラックボール、タッチパネル等から形成することができる。
ここで、例えば、ｅＦＡＳＴ検査、腹部ルーチン検査、および、循環器ルーチン検査のように、複数の検査部位を連続で検査することを連続検査と定義する。複数の連続検査の候補からユーザにより選択された連続検査が、検査種別情報として情報入力部１６に入力される。
【００２３】
判別順序決定部１３は、情報入力部１６に入力された検査種別情報に基づいて、連続して検査を行う複数の検査部位を決定し、さらに、これらの検査部位を判別する判別順序を決定する。
部位判別部１２は、判別順序決定部１３で決定された判別順序に従って、照合パターンメモリ１５から連続して検査を行う検査部位に対応する照合パターンを読み出し、読み出した照合パターンを用いて画像生成部３で生成されたＢモード画像信号をこの判別順序に従って順次照合することで、被検体の撮像部位を判別する。
画像化条件設定部１１は、複数の検査部位に対応する画像化条件を予め記憶し、部位判別部１２により判別された検査部位に対応する画像化条件を設定する。
【００２４】
装置制御部１４は、ユーザにより情報入力部１６から入力された指令に基づいて、画像化条件設定部１１、表示制御部４、部位判別部１２および判別順序決定部１３の制御を行う。
格納部１７は、動作プログラム等を格納するもので、ハードディスク、フレキシブルディスク、ＭＯ（Magneto-Optical Disk）、ＭＴ（Magnetic Tape）、ＲＡＭ（Random Access Memory）、ＣＤ−ＲＯＭ（Compact Disk Read Only Memory）、ＤＶＤ−ＲＯＭ（Digital Versatile Disk Read Only Memory）、ＳＤカード（Secure Digital Card）、ＣＦカード（Compact Flash Card）、ＵＳＢメモリ（Universal Serial Bus Memory）等の記録メディア、またはサーバ等を用いることができる。
【００２５】
なお、画像生成部３、表示制御部４、送受信部２の送受信制御部８、画像化条件設定部１１、部位判別部１２、判別順序決定部１３および装置制御部１４は、ＣＰＵ（Central Processing Unit）と、ＣＰＵに各種の処理を行わせるための動作プログラムから構成されるが、それらをデジタル回路で構成してもよい。また、これら画像生成部３、表示制御部４、送受信制御部８、画像化条件設定部１１、部位判別部１２、判別順序決定部１３および装置制御部１４を、部分的にあるいは全体的に１つのＣＰＵに統合させて構成することもできる。
【００２６】
次に、図４のフローチャートを参照して実施の形態１の動作について説明する。
まず、ステップＳ１で、ユーザが情報入力部１６に検査種別情報を入力する。検査種別情報とは、被検体を診断する際に複数の検査部位を連続して検査する検査内容を表すものである。例えば、一般にｅＦＡＳＴ検査と呼ばれる連続検査では、右腹部、左腹部、膀胱周囲、心窩部、右肺および左肺が、一例としてこの順序で連続検査される。連続検査には他にも、肝臓、胆嚢、腎臓、膵臓および脾臓という順序で連続して検査する腹部ルーチン検査、あるいは、左室長軸短軸、心尖部、右心系および心窩部という順序で検査する循環器ルーチン検査等がある。なお、検査部位の内容およびその順序は一例であり、検査施設、検査者、患者の状態等によって変更されることがある。
ここで、ユーザがこれらの連続検査の候補の中からｅＦＡＳＴ検査を選択すると、ｅＦＡＳＴ検査が検査種別情報として情報入力部１６に入力される。
【００２７】
続くステップＳ２で、判別順序決定部１３により、検査種別情報に基づいて連続して検査を行う複数の検査部位の判別順序が決定される。判別順序決定部１３は、複数の連続検査の検査内容を予め記憶しており、ユーザにより入力されたｅＦＡＳＴ検査という検査種別情報に基づいて、連続して検査をする右腹部、左腹部、膀胱周囲、心窩部、右肺および左肺という複数の検査部位を決定する。さらに、右腹部、左腹部、膀胱周囲、心窩部、右肺および左肺という順に撮像部位を判別するための判別順序を決定し、決定した判別順序を部位判別部１２に出力する。
【００２８】
ステップＳ３において、送受信部２により超音波プローブ１のアレイトランスデューサ１Ａの複数の超音波トランスデューサを用いた超音波ビームの送受信および走査が行われ、被検体からの超音波エコーを受信した各超音波トランスデューサから受信信号が受信部７に出力され、受信部７で増幅およびＡ／Ｄ変換されて受信データが生成される。
さらに、ステップＳ４で、受信データは画像生成部３に入力され、Ｂモード処理部９で受信フォーカス処理が行われた後にＤＳＣ１０で信号変換されてＢモード画像信号が生成される。このＢモード画像信号は、画像生成部３から表示制御部４に出力され、Ｂモード画像が表示部５に表示される。
【００２９】
また、画像生成部３のＤＳＣ１０から出力されたＢモード画像信号は、部位判別部１２に入力され、まず、ステップＳ５で、部位判別部１２により、Ｂモード画像信号の撮像部位が変更されたかが判断される。例えば、検査部位が右腹部から左腹部に移行して撮像部位が変更されると、撮像部位が変更されたと判断される。具体的には、一般に撮像部位が変更される場合にはプローブが体表から離れて空中放射になるため、このような空中放射状態（反射信号が得られない状態）を検出することで、撮像部位の変更を判断することができる。あるいは、ステップＳ２で判別順序が決定されてから初めてＢモード画像信号が生成されると、撮像部位を判別して判別結果に応じた画像化条件を設定するため、ステップＳ６に進む。そして、続くステップＳ６で、部位判別部１２により被検体の撮像部位が判別される。
部位判別部１２は、まず、判別順序決定部１３で決定された判別順序に従って、照合パターンメモリ１５からｅＦＡＳＴ検査の検査部位に対応する照合パターンを読み出す。照合パターンメモリ１５には、ｅＦＡＳＴ検査の検査部位以外の検査部位にも対応するため、胃、腎臓、肝臓、その他の各種の撮像部位に対応する照合パターンが記憶されている。これら各種の照合パターンが記憶された照合パターンメモリ１５から、ｅＦＡＳＴ検査の検査部位である右腹部、左腹部、膀胱周囲、心窩部、右肺および左肺に対応する６種類の照合パターンのみが読み出される。
【００３０】
さらに、部位判別部１２は、読み出された照合パターンを用いて、画像生成部３のＤＳＣ１０から出力されたＢモード画像信号を判別順序決定部１３で決定された判別順序で順次照合する。すなわち、図５に示されるフローチャートのように、右腹部、左腹部、膀胱周囲、心窩部、右肺および左肺の順にこれらの検査部位に対応する照合パターンが用いられてＢモード画像信号が照合される。
例えば、右肺を検査する場合、ステップＳ１１で、撮像部位が右腹部ではないと判断され、ステップＳ１２で、撮像部位が左腹部ではないと判断され、ステップＳ１３で、撮像部位が膀胱周囲ではないと判断され、さらに、ステップＳ１４で、撮像部位が心窩部ではないと判断され、続くステップＳ１５で撮像部位が右肺であると判断されると、ステップＳ１６が省略され、ステップＳ１８で、撮像部位が右肺であると確定され、判別結果が出力され、部位判別処理が終了する。
【００３１】
このように、ｅＦＡＳＴ検査の検査部位に対応する６種類の照合パターンのみを読み出し、ステップＳ１１〜Ｓ１６において照合を行うことで、ｅＦＡＳＴ検査の検査部位に対応する６種類の照合パターン以外の照合パターンが照合パターンメモリ１５に記憶されていても、部位判別処理に要する時間が長くなることを抑制することができる。
また、仮に、撮像部位がｅＦＡＳＴ検査の検査部位ではない肝臓である場合、図５に示したフローチャートにおいて、読み出された６種類の照合パターンのみが用いられ、ステップＳ１１〜Ｓ１６を経て、ステップＳ１７において撮像部位は不明であると判断されるため、部位判別処理の次の動作に移行するまでの時間が長くなることを抑制することができる。
【００３２】
さらに、ｅＦＡＳＴ検査を開始して最初の検査部位である右腹部を検査する場合、ステップＳ１１で、撮像部位が右腹部であると判断されると、ステップＳ１２〜Ｓ１６を経ずに、ステップＳ１８で、撮像部位が右腹部であると確定し、部位判別処理が完了する。このため、ステップＳ１２以降におけるＢモード画像信号の照合が省略され、部位判別処理に要する時間を短縮することができる。
【００３３】
なお、読み出された照合パターンを用いてＢモード画像信号を照合するには、周知のマッチング技術を用いることができる。また、マッチング技術の他、例えば、機械学習法、あるいは、一般画像認識手法などを用いて類似度の算出を行い、算出された類似度に基づいてＢモード画像信号を照合することもできる。
【００３４】
部位判別部１２により、例えば、撮像部位が右腹部であるという判別結果が出力されると、ステップＳ７で、画像化条件設定部１１により、画像化条件の調整が行われる。画像化条件設定部１１は、複数の画像化条件を予め記憶しており、出力された判別結果に応じた画像化条件を選択し、以降のフレームについて、選択された画像化条件で画像化が行われるように送受信部２および画像生成部３を制御する。
【００３５】
そして、ステップＳ３に戻り、画像化条件設定部１１が選択した画像化条件に含まれる超音波ビーム走査条件に従って超音波ビームの送受信が行われるように送受信部２の送受信制御部８が制御される。続くステップＳ４で、画像化条件設定部１１が選択した画像化条件に含まれる超音波画像生成条件に従って受信信号からＢモード画像が生成されるように画像生成部３が制御される。さらに、画像生成部３からＢモード画像信号が表示制御部４に出力され、これにより、右腹部の診断に適したＢモード画像を表示部５に表示することができる。
【００３６】
続くステップＳ５で、部位判別部１２により撮像部位が変更されたと判断されるまで、ステップＳ３〜Ｓ５が繰り返され、撮像部位である右腹部の診断が継続される。
そして、例えば、検査部位が右腹部から左腹部に移行すると、ステップＳ５で、部位判別部１２により撮像部位が変更されたと判断され、続くステップＳ６で、部位判別部１２により撮像部位は左腹部であると判別される。さらに、ステップＳ７で、画像化条件設定部１１により、判別結果に応じた画像化条件が選択されて送受信部２および画像生成部３が制御され、撮像部位である左腹部の診断に適したＢモード画像信号が生成される。
【００３７】
なお、画像化条件のうち、超音波ビーム走査条件としては、超音波ビームの送信周波数、焦点位置、表示深さ等が挙げられ、超音波画像生成条件としては、音速、検波条件、ゲイン、ダイナミックレンジ、階調カーブ、スペックル抑制強度、エッジ強調度等を挙げることができる。
【００３８】
また、上述したように、判別順序決定部１３により複数の連続検査の検査内容が予め記憶されているが、ユーザが情報入力部１６を操作することで、記憶された検査内容を編集し、編集した検査内容を判別順序決定部１３に記憶させることができる。例えば、肝臓、胆嚢、腎臓、膵臓および脾臓という順序で連続して検査する腹部ルーチン検査が判別順序決定部１３に記憶されているとすると、ユーザは、複数の検査部位の１つを肝臓から胃に変更し、胃、胆嚢、腎臓、膵臓および脾臓と、検査内容を編集することができる。また、検査部位を変更せずに検査の順序を変更することもできる。
【００３９】
さらに、上述したように、Ｂモード画像信号の撮像部位の部位判別処理では、判別順序に従って読み出された複数の照合パターンが１つずつ用いられ、Ｂモード画像信号の撮像部位が、照合に用いられた照合パターンに対応する検査部位であると判断された時点で撮像部位が確定されるが、これに限るものではない。例えば、Ｂモード画像信号の撮像部位について、右腹部、左腹部、膀胱周囲、心窩部、右肺および左肺に対応する照合パターンとの類似度をそれぞれ算出し、最も高い類似度を有する照合パターンに対応する検査部位が撮像部位であると確定することもできる。
このように類似度を算出する場合も、判別順序決定部１３が決定した右腹部、左腹部、膀胱周囲、心窩部、右肺および左肺という検査部位に対応する６種類の照合パターンのみを用いることで、部位判別処理に要する時間が長くなることを抑制することができる。
【００４０】
実施の形態２
上記の実施の形態１では、判別順序決定部１３が決定した判別順序に従って、部位判別部１２が照合パターンメモリ１５から照合パターンを読み出し、読み出した照合パターンのみを用いてＢモード画像信号の撮像部位の判別をしていたが、この限りではない。実施の形態２では、照合パターンメモリ１５が、部位判別部１２が読み出した照合パターンに対応する検査部位の近傍に位置する検査部位の照合パターンも予め記憶している。そして、部位判別部１２が読み出した照合パターンに追加するように、これら読み出した照合パターンに対応する検査部位の近傍に位置する検査部位の照合パターンも照合パターンメモリ１５から読み出し、撮像部位の判別をすることができる。
【００４１】
ユーザによりｅＦＡＳＴ検査が検査種別情報として情報入力部１６に入力されると、判別順序決定部１３は、まず、連続して検査をする右腹部、左腹部、膀胱周囲、心窩部、右肺および左肺という複数の検査部位を決定する。さらに、右腹部、左腹部、膀胱周囲、心窩部、右肺および左肺という順に撮像部位を判別するための判別順序を決定し、決定した判別順序を部位判別部１２に出力する。さらに、決定された判別順序に従って、部位判別部１２が右腹部、左腹部、膀胱周囲、心窩部、右肺および左肺に対応する照合パターンを照合パターンメモリ１５から読み出す。
【００４２】
ここで、照合パターンメモリ１５は、ｅＦＡＳＴ検査の検査部位の近傍に位置する検査部位、例えば、心窩部の近傍に位置する心尖部および傍胸骨の照合パターンも予め記憶している。また、部位判別部１２は、ｅＦＡＳＴ検査の検査部位の近傍に位置する検査部位を予め記憶しており、心窩部の近傍に位置する心尖部および傍胸骨に対応する照合パターンが、さらに照合パターンメモリ１５から読み出される。
【００４３】
そして、図６に示されるフローチャートのように、右腹部、左腹部、膀胱周囲、心窩部、右肺および左肺に加えて、心尖部および傍胸骨の順にこれらの検査部位に対応する照合パターンが用いられ、画像生成部３のＤＳＣ１０から出力されたＢモード画像信号が照合される。
例えば、心窩部の近傍に位置する傍胸骨を検査する場合、ｅＦＡＳＴ検査の検査内容である右腹部、左腹部、膀胱周囲、心窩部、右肺および左肺に対応するステップＳ１１〜Ｓ１６では撮像部位を判別することはできない。しかし、ステップＳ２１で、撮像部位が心尖部ではないと判断され、続くステップＳ２２で、撮像部位が傍胸骨であると判断され、ステップＳ１８で、撮像部位が傍胸骨であると確定される。
【００４４】
このように、例えば、ｅＦＡＳＴ検査において、変則的に心窩部の近傍に位置する検査部位の検査をしなければならなくなった場合、部位判別部１２が心窩部の近傍に位置する傍胸骨および心尖部に対応する照合パターンを読み出すことにより、撮像部位を判別することができる。
なお、部位判別部１２は、判別順序決定部１３が決定した判別順序が入力された時点で、ｅＦＡＳＴ検査の検査部位に対応する照合パターンと共に、ｅＦＡＳＴ検査の検査部位の近傍に位置する検査部位に対応する照合パターンを読み出しても良い。また、実施の形態１の図５に示したフローチャートにおいて、ステップＳ１６で、撮像部位が左肺ではないと判断された時点で、ｅＦＡＳＴ検査の検査部位の近傍に位置する検査部位に対応する照合パターンを読み出し、読み出した照合パターンを用いてＢモード画像信号を照合しても良い。
【００４５】
実施の形態３
上記の実施の形態１および実施の形態２では、検査種別情報は、複数の連続検査の候補の中からユーザにより選択されて情報入力部１６に入力されたが、実施の形態３では、検査種別情報は、ユーザにより選択された複数の検査部位のリストとして情報入力部１６に入力される。
【００４６】
ユーザは、各種の検査部位の候補の中から、例えば、肝臓、胆嚢、腎臓、膵臓および脾臓を選択し、これらの検査部位を連続して検査する検査内容を表す検査種別情報をリストとして情報入力部１６に入力する。そして、入力された検査種別情報に基づいて、判別順序決定部１３は、肝臓、胆嚢、腎臓、膵臓および脾臓という判別順序を決定し、部位判別部１２に出力する。部位判別部１２は、判別順序決定部１３が決定した判別順序に従って、これら検査部位に対応する照合パターンを照合パターンメモリ１５から読み出し、肝臓、胆嚢、腎臓、膵臓および脾臓の順にこれら検査部位に対応する照合パターンを用いて、画像生成部３のＤＳＣ１０から出力されたＢモード画像信号を照合し、撮像部位の部位判別処理を実施する。
このように、ユーザが複数の検査部位を任意に選択してリストとして検査種別情報を入力することができる。
【符号の説明】
【００４７】
１  超音波プローブ、１Ａ  アレイトランスデューサ、２  送受信部、３  画像生成部、４  表示制御部、５  表示部、６  送信部、７  受信部、８  送受信部、９  Ｂモード処理部、１０  ＤＳＣ、１１  画像化条件設定部、１２  部位判別部、１３  判別順序決定部、１４  装置制御部、１５  照合パターンメモリ、１６  情報入力部、１７  格納部、１８  増幅部、１９  Ａ／Ｄ変換部、２０  ビームフォーマ、２１  信号処理部。
【図１】
2017145540.tif 000003
【図２】
2017145540.tif 000004
【図３】
2017145540.tif 000005
【図４】
2017145540.tif 000006
【図５】
2017145540.tif 000007
【図６】
2017145540.tif 000008
【国際調査報告】
2017145540.tif 000009
2017145540.tif 000010
2017145540.tif 000011
2017145540.tif 000012